(57)【要約】【課題】穀粒を滞留しない状態で円滑に搬送することができるとともに、穀粒が流動する搬送通路の内面が短期間で摩耗しないようにすることが望まれていた。【解決手段】脱穀部４にて脱穀処理して得られた穀粒を搬送する穀粒搬送装置６に、穀粒を横方向に搬送する横搬送部２６と、横搬送部２６の搬送終端部から受け渡された穀粒を上方に向けて搬送する縦搬送部２７とが備えられ、横搬送部２６に、横搬送スクリュー２８と、その周囲を覆う横搬送周壁部とが備えられ、縦搬送部２７に、縦搬送スクリュー３２と、その周囲を覆う縦搬送周壁部３４とが備えられ、連結部３６において、横搬送スクリュー２８の回転軸芯と縦搬送スクリュー３２の回転軸芯とが、横搬送部２６の径方向に沿って位置がずれた状態で交差するとともに、横搬送スクリュー２８と縦搬送スクリュー３２とが、干渉することなく外端回転軌跡が重複する状態で設けられている。【選択図】図４
2020080777.tif 000002
【特許請求の範囲】
【請求項１】
収穫物を脱穀処理する脱穀部と、前記脱穀部にて脱穀処理して得られた穀粒を搬送する穀粒搬送装置とが備えられ、
前記穀粒搬送装置に、穀粒を横方向に搬送する横搬送部と、前記横搬送部の搬送終端部から受け渡された穀粒を上方に向けて搬送する縦搬送部とが備えられ、
前記横搬送部に、横搬送スクリューと、前記横搬送スクリューの周囲を覆う横搬送周壁部とが備えられ、
前記縦搬送部に、縦搬送スクリューと、前記縦搬送スクリューの周囲を覆う縦搬送周壁部とが備えられ、
前記横搬送部と前記縦搬送部との連結部において、前記横搬送スクリューの回転軸芯と前記縦搬送スクリューの回転軸芯とが、前記横搬送部の径方向に沿って位置がずれた状態で交差するとともに、前記横搬送スクリューと前記縦搬送スクリューとが、干渉することなく前記各搬送スクリューの外端回転軌跡が重複する状態で設けられているコンバイン。
【請求項２】
前記横搬送周壁部のうち前記連結部に対応する箇所における下側部分は、前記横搬送部側が高い位置であり且つ前記縦搬送部側が低い位置になるように傾斜状に設けられている請求項１に記載のコンバイン。
【請求項３】
前記横搬送周壁部は、前記連結部に対応する箇所よりも搬送方向上手側の箇所においても、下側部分が前記横搬送部側が高い位置であり且つ前記縦搬送部側が低い位置になるように傾斜状に設けられている請求項２に記載のコンバイン。
【請求項４】
前記横搬送スクリューは、前記連結部において、穀粒を前記横搬送周壁部の傾斜状の周面に沿わせて送り出す方向に回転駆動される請求項２又は３に記載のコンバイン。
【請求項５】
前記縦搬送部は、前記横搬送周壁部のうち前記連結部に対応する箇所の最下端位置よりも低い位置に搬送始端位置が設定されている請求項１から４のいずれか１項に記載のコンバイン。
【発明の詳細な説明】
【技術分野】
【０００１】
本発明は、コンバインに関し、詳しくは、収穫物を脱穀処理する脱穀部と、前記脱穀部にて脱穀処理して得られた穀粒を搬送する穀粒搬送装置とが備えられ、前記穀粒搬送装置に、穀粒を横方向に搬送する横搬送部と、前記横搬送部の搬送終端部から受け渡された穀粒を上方に向けて搬送する縦搬送部とが備えられ、前記横搬送部に、横搬送スクリューと、前記横搬送スクリューの周囲を覆う横搬送周壁部とが備えられ、前記縦搬送部に、縦搬送スクリューと、前記縦搬送スクリューの周囲を覆う縦搬送周壁部とが備えられているコンバインに関する。
【背景技術】
【０００２】
上記コンバインにおいて、従来では、横搬送部の回転軸芯と縦搬送部の回転軸芯とが、同一仮想平面上に位置して１点で重なり合うような位置関係となっており、横搬送部の回転軸の軸端と、縦搬送部の回転軸の軸端との夫々に取り付けられたベベルギア同士を噛み合わせて連動連結する構成となっていた。横搬送部により搬送されてきた穀粒は、横搬送部の搬送終端部に備えられた板状の羽根体によって上方に向けて掻き揚げられて、エルボ状の中継用搬送ケースを介して縦搬送部の搬送始端部に向けて案内されるように構成され、各ベベルギアは、中継用搬送ケースの内部に備えられたギア収納ケースに収納される構成となっていた（例えば、特許文献１参照）。
【先行技術文献】
【特許文献】
【０００３】
【特許文献１】特開２０１１−１７７０７７号公報
【発明の概要】
【発明が解決しようとする課題】
【０００４】
上記従来構成では、横搬送部により搬送されてきた穀粒は中継用搬送ケースを通過して傾斜姿勢の搬送領域を通して斜め上方に位相させながら縦搬送部に送られる。このように縦搬送部へ穀粒を受け渡す際には、低い位置から高い位置へと送り出すので、一部の穀粒が横搬送部側に逆流することがある。そのことに起因して、この受渡し領域で穀粒が滞留して圧力が高まり、穀粒により押圧されて中継用搬送ケースの内面が短期間の使用で摩耗する等の不利な面があった。
【０００５】
そこで、穀粒を滞留しない状態で円滑に搬送することができるとともに、穀粒が流動する搬送通路の内面が短期間で摩耗しないようにすることが望まれていた。
【課題を解決するための手段】
【０００６】
本発明に係るコンバインの特徴構成は、収穫物を脱穀処理する脱穀部と、前記脱穀部にて脱穀処理して得られた穀粒を搬送する穀粒搬送装置とが備えられ、前記穀粒搬送装置に、穀粒を横方向に搬送する横搬送部と、前記横搬送部の搬送終端部から受け渡された穀粒を上方に向けて搬送する縦搬送部とが備えられ、前記横搬送部に、横搬送スクリューと、前記横搬送スクリューの周囲を覆う横搬送周壁部とが備えられ、前記縦搬送部に、縦搬送スクリューと、前記縦搬送スクリューの周囲を覆う縦搬送周壁部とが備えられ、前記横搬送部と前記縦搬送部との連結部において、前記横搬送スクリューの回転軸芯と前記縦搬送スクリューの回転軸芯とが、前記横搬送部の径方向に沿って位置がずれた状態で交差するとともに、前記横搬送スクリューと前記縦搬送スクリューとが、干渉することなく前記各搬送スクリューの外端回転軌跡が重複する状態で設けられている点にある。
【０００７】
本発明によれば、横搬送スクリューの回転軸芯と縦搬送スクリューの回転軸芯とが、横搬送部の径方向に沿って位置がずれた状態で交差している。その結果、横搬送部にて搬送される穀粒は、縦搬送部との連結部において、回転軸芯の延長方向に向けて穀粒を送り出すのではなく、横搬送スクリューの径方向外方に向けて送り出すことになる。しかも、横搬送スクリューと縦搬送スクリューとは外端回転軌跡が重複する状態となっているから、横搬送スクリューから縦搬送スクリューに向けて、速やかに且つ逆流等のおそれの無い状態で良好に穀粒を受け渡すことができ、穀粒が流動する搬送通路の内面が短期間で摩耗するおそれは少ない。
【０００８】
従って、穀粒を滞留しない状態で円滑に搬送することができるとともに、穀粒が流動する搬送通路の内面が短期間で摩耗しないようにすることが可能となった。
【０００９】
本発明においては、前記横搬送周壁部のうち前記連結部に対応する箇所における下側部分は、前記横搬送部側が高い位置であり且つ前記縦搬送部側が低い位置になるように傾斜状に設けられていると好適である。
【００１０】
本構成によれば、横搬送部における横搬送スクリューと横搬送周壁部との協働により横送り搬送されてきた穀粒は、連結部において、傾斜状に設けられた横搬送周壁部の下側部分によって縦搬送部側に向けて流下案内される。
【００１１】
従って、横搬送部にて横向きに搬送されてきた穀粒が、横搬送周壁部によりそのまま流下案内されるので、穀粒の受け渡しを一層良好に行うことができる。
【００１２】
本発明においては、前記横搬送周壁部は、前記連結部に対応する箇所よりも搬送方向上手側の箇所においても、下側部分が前記横搬送部側が高い位置であり且つ前記縦搬送部側が低い位置になるように傾斜状に設けられていると好適である。
【００１３】
本構成によれば、横搬送部では、連結部に至るまでの間において早い段階から穀粒を下方側に向けて流下案内させることができ、滞ることなく確実に、穀粒を縦搬送部に受け渡すことができる。
【００１４】
本発明においては、前記横搬送スクリューは、前記連結部において、穀粒を前記横搬送周壁部の傾斜状の周面に沿わせて送り出す方向に回転駆動されると好適である。
【００１５】
本構成によれば、横搬送スクリューは、回転に伴って横搬送周壁部の傾斜状の周面に沿わせて穀粒を送り出す機能を発揮することができ、穀粒を一層良好に縦搬送部に受け渡すことができる。
【００１６】
本発明においては、前記縦搬送部は、前記横搬送周壁部のうち前記連結部に対応する箇所の最下端位置よりも低い位置に搬送始端位置が設定されていると好適である。
【００１７】
本構成によれば、縦搬送部は、横搬送部にて搬送されて連結部にて縦搬送部に向けて送り出された穀粒に対して、漏れの無い状態で搬送作用を発揮させることができ、滞留することなく穀粒を良好に搬送することができる。
【図面の簡単な説明】
【００１８】
【図１】コンバインの全体側面図である。
【図２】コンバインの全体平面図である。
【図３】穀粒搬送装置の一部切欠正面図である。
【図４】穀粒搬送装置の縦断側面図である。
【図５】中継搬送ケースの斜視図である。
【図６】支柱の支持構造を示す斜視図である。
【発明を実施するための形態】
【００１９】
以下、本発明に係るコンバインの実施形態を図面に基づいて説明する。なお、以下の説明では、矢印Ｆの方向を「前側」（図１及び図２参照）、矢印Ｂの方向を「後側」（図１及び図２参照）、矢印Ｌの方向を「左側」（図２参照）、矢印Ｒの方向を「右側」（図２参照）とする。
【００２０】
〔全体構成〕
図１，２に、本発明に係るコンバインの一例としての稲や麦などを収穫対象とする普通型コンバインが示されている。このコンバインは、機体フレーム１の下部に左右一対のクローラ式走行装置２を装備した走行機体を備え、その走行機体の前部に、収穫対象の植立穀稈を刈り取って後方に向けて搬送する刈取搬送部３が横軸芯周りで揺動昇降可能に連結されている。機体フレーム１上に、刈取搬送部３からの刈取穀稈に対して扱き処理を施すとともに、その扱き処理で得られた脱穀処理物に対して選別処理を施す脱穀部としての脱穀装置４、脱穀装置４からの穀粒を貯留する穀粒タンク５、脱穀装置４にて得られた穀粒を穀粒タンク５に搬送する穀粒搬送装置６、穀粒タンク５に貯留される穀粒を機外に排出するための穀粒排出装置７、操縦者が搭乗して運転操作を行う運転部８等が備えられている。
【００２１】
運転部８は機体前部右側に位置し、運転部８の後方に穀粒タンク５が位置している。脱穀装置４が左側に位置し、穀粒タンク５が右側に位置する状態で、脱穀装置４と穀粒タンク５とが左右方向に並ぶ状態で備えられている。そして、運転部８の下方側には、駆動用のエンジン９が備えられ、エンジン９の動力が各部に伝達される。
【００２２】
刈取搬送部３は、機体走行に伴って、植立穀稈を収穫対象の植立穀稈と収穫対象外の植立穀稈とに梳き分ける分草具１０、収穫対象の植立穀稈を後方に向けて掻き込む回転リール１１、収穫対象の植立穀稈の株元側を切断するバリカン形の刈取装置１２、切断後の刈取穀稈を左右方向の中央側の所定箇所に寄せ集め後方に向けて送り出す横送りオーガ１３、刈取穀稈を脱穀装置４に向けて搬送するフィーダ１４等を備えて構成されている。そして、刈取搬送部３は、図示しない油圧シリンダにより横軸芯周りで昇降揺動可能に支持されている。
【００２３】
脱穀装置４は、詳述はしないが、内部空間の上部側に、前後軸芯周りで回転する扱胴により、フィーダ１４より搬送されてくる刈取穀稈を扱き処理する扱室が備えられ、扱室の下方には、扱き処理物を穀粒、二番物、排ワラ屑等に選別する選別部が備えられている。選別された穀粒は、脱穀装置４の内部にて底部に落下するように案内され、穀粒搬送装置６により穀粒タンク５に向けて搬送されて貯留される。二番物は脱穀装置４内部に還元され、排ワラ屑等は機体後方側外方に排出される。刈取作業終了後に、穀粒タンク５に貯留される穀粒は、穀粒排出装置７により機外に排出される。
【００２４】
図１，２に示すように、穀粒タンク５の底部には貯留している穀粒を後方外方に送り出す底スクリュー１５が備えられている。底スクリュー１５にて穀粒タンク５の下部から外方に送り出された穀粒を搬送して機体外部の図示しない排出箇所に排出する穀粒排出装置７が備えられている。
【００２５】
穀粒排出装置７は、底スクリュー１５から横向きに外方に送り出された穀粒を上方に向けて搬送する縦スクリューコンベア１６と、その縦スクリューコンベア１６の搬送終端部から先端部に形成された排出口１７にまで水平方向に穀粒を搬送する横スクリューコンベア１８とを備えている。
【００２６】
縦スクリューコンベア１６は、円筒状の外筒ケース１９の内部に縦搬送スクリュー２０が備えられ、縦搬送スクリュー２０を回転することで穀粒を上方に搬送することができる。又、縦スクリューコンベア１６は、横スクリューコンベア１８を片持ち状に支持するとともに、縦軸芯Ｙ周りで一体的に旋回可能に支持されている。
【００２７】
縦スクリューコンベア１６の上下中間部を摺動案内しながら縦軸芯Ｙ周りで回動自在に保持する回動保持部２１が備えられ、この回動保持部２１が、機体フレーム１から立設された支柱２２に連結されている。支柱２２は、角筒状に形成されるとともに、縦スクリューコンベア１６に対して機体後方箇所にて、回動保持部２１が位置する箇所まで上方に延びる状態で機体フレーム１から立設されている。
【００２８】
穀粒タンク５は、上部側の摺動支持部２３等によって縦スクリューコンベア１６に対して縦軸芯Ｙ周りで回動可能に支持されている。穀粒タンク５は、脱穀装置４の横側に並ぶ通常作業姿勢（図２参照）と、機体前部側が機体横側外方に張り出すように回動したメンテナンス姿勢（図示せず）とにわたり、回動可能に設けられている。その結果、縦スクリューコンベア１６を支持するための支柱２２には横向きの荷重がかかることがあり、機体フレーム１に対する連結箇所に応力が発生するおそれがある。
【００２９】
そこで、支柱２２の機体フレーム１に対する連結箇所は複数の補強部材２５によって補強されている。図６に示すように、支柱２２は下端部に連結用のベース板２４が溶接固定されている。ベース板２４と支柱２２の前側面との間、及び、ベース板２４と支柱２２の後側面との間には、夫々、一枚板構造の補強部材２５ａ，２５ｂが溶接にて固定されている。ベース板２４と支柱２２の左側面とにわたり平面視略Ｕ字形の板体からなる補強部材２５ｃが溶接にて固定され、ベース板２４と支柱２２の右側面とにわたり平面視略Ｕ字形の板体からなる補強部材２５ｄが溶接にて固定されている。これらの４個の補強部材２５ａ〜２５ｄにより、支柱２２の左右方向並びに前後方向夫々での支持強度を高めてフレーム剛性を大きくさせている。
【００３０】
〔穀粒搬送装置〕
次に、脱穀装置４にて得られた穀粒を穀粒タンク５に搬送する穀粒搬送装置６について説明する。
図１，２，３に示すように、穀粒搬送装置６には、横搬送部としての一番回収部２６と、縦搬送部としての穀粒揚送装置２７とが備えられている。一番回収部２６は、脱穀装置４の底部に備えられ、脱穀装置４の内部にて底部に落下するように案内された穀粒を受止めて脱穀装置４の横一側外方に搬送する。脱穀装置４の横一側外方に搬送されたのち、穀粒揚送装置２７により上方に搬送されて穀粒タンク５に貯留される。
【００３１】
図３，４に示すように、一番回収部２６には、横搬送スクリューとしての一番回収スクリュー２８と、一番回収スクリュー２８の横搬送周壁部２９の一部を構成する断面略円弧状の案内樋部３０とが備えられている。一番回収スクリュー２８は、左右方向に沿って延びる状態で設けられている。一番回収部２６は、脱穀装置４の底部に左右方向に沿って延びる状態で設けられ、脱穀装置４内部で選別されて落下する穀粒を回収して、一番回収スクリュー２８と案内樋部３０との協働により穀粒を横側外方に搬送する構成となっている。一番回収スクリュー２８は、脱穀装置４の側壁４ａに形成された開口３１を通して右側外方に突出する状態で設けられている。
【００３２】
図４に示すように、穀粒揚送装置２７には、縦搬送スクリュー３２と、縦搬送スクリュー３２の周囲を覆う縦搬送周壁部３３を構成する円筒状の縦搬送ケース３４とが備えられている。縦搬送スクリュー３２の搬送上手側は２重螺旋構造のスクリューにて構成され、搬送下手側は１重螺旋構造の一般的なスクリューにて構成されている。穀粒揚送装置２７の上端部には、揚送した穀粒を排出して穀粒タンク５内に搬入する排出部３５が備えられている。
【００３３】
一番回収部２６と穀粒揚送装置２７との連結部３６は、中継搬送ケース３７によって覆われている。図３，４，５に示すように、中継搬送ケース３７は、一番回収スクリュー２８の搬送終端側箇所の周囲を覆う横送り用覆い部３７Ａと、縦搬送スクリュー３２の搬送始端側箇所の周囲を覆う縦送り用覆い部３７Ｂとを備えている。横送り用覆い部３７Ａは横搬送周壁部２９の一部を構成する。縦送り用覆い部３７Ｂは縦搬送周壁部３３の一部を構成する。
【００３４】
中継搬送ケース３７の横送り用覆い部３７Ａの横側端部と、開口３１が形成されている脱穀装置４の側壁４ａとの間は、横向きの円筒状の接続ケース３８により接続されている。接続ケース３８は、一番回収スクリュー２８の外方突出部の周囲を覆っており、一番回収スクリュー２８の横搬送周壁部２９の一部を構成する。中継搬送ケース３７の縦送り用覆い部３７Ｂの上側端部には、縦搬送ケース３４が接続されている。
【００３５】
一番回収部２６と穀粒揚送装置２７との連結部３６において、一番回収スクリュー２８の回転軸芯Ｘ１と縦搬送スクリュー３２の回転軸芯Ｘ２とが、一番回収部２６の径方向に沿って位置がずれた状態で交差するとともに、一番回収スクリュー２８と縦搬送スクリュー３２とが、干渉することなく各搬送スクリュー２８，３２の外端回転軌跡が重複する状態で設けられている。
【００３６】
一番回収スクリュー２８は、図示しない伝動機構を介して、穀粒揚送装置２７が設けられる側とは反対側（左側）の端部にエンジン９の動力が伝達されて回転駆動される。そして、一番回収スクリュー２８の右側端部から伝動機構３９を介して縦搬送スクリュー３２に動力が伝達されるように構成されている。伝動機構３９は、複数のベベルギア４０、伝動チェーン４１等を備えて構成され、中継搬送ケース３７の横側に支持された伝動ケース４２に収納される状態で備えられる。
【００３７】
一番回収スクリュー２８と縦搬送スクリュー３２とは、伝動機構３９を介して同期する状態で連動連結されるので、回転状態を設定することで、上記したように一部重複する状態で配備されていても、互いに干渉することがないように配備することができる。そして、このように一番回収スクリュー２８と縦搬送スクリュー３２とが一部重複する状態で備えられることにより、一番回収スクリュー２８によって横送りされてきた穀粒が、速やかに且つ確実に縦搬送スクリュー３２に受け渡される。
【００３８】
図４に示すように、横搬送周壁部２９のうち連結部３６に対応する箇所における下側部分、すなわち、中継搬送ケース３７の横送り用覆い部３７Ａのうちで、一番回収スクリュー２８と縦搬送スクリュー３２とが重複する重複領域４３の下側部分４３ａは、一番回収部２６側が高い位置であり且つ穀粒揚送装置２７が低い位置になるように傾斜状に設けられている。
【００３９】
説明を加えると、横送り用覆い部３７Ａの重複領域４３の上側部分４３ｂは、一番回収スクリュー２８の外周に沿うように円弧状に形成されている。横送り用覆い部３７Ａの重複領域４３の下側部分４３ａは、円弧状に形成された上側部分４３ｂに連なって延び且つ縦搬送スクリュー３２に近づくほど低い位置になるように下向きの傾斜面に形成されている。
【００４０】
一番回収スクリュー２８は、連結部３６において、穀粒を中継搬送ケース３７の重複領域４３の下側部分４３ａにおける傾斜状の周面に沿わせて送り出す方向に回転駆動される。すなわち、図３，４に示すように、右側からの側面視で時計回りで回転するように駆動される。一番回収スクリュー２８は、外周端部が重複領域４３の上端側から下側部分に向けて回動して、穀粒を穀粒揚送装置２７側に送り出し案内するように作用する。このように一番回収スクリュー２８が回転することで、穀粒の穀粒揚送装置２７への送り出しが円滑に行われる。一方、縦搬送スクリュー３２は、図３，４に示すように、平面視で反時計周りで回転する状態で駆動される。
【００４１】
そして、図４に示すように、穀粒揚送装置２７は、横搬送周壁部２９のうち連結部３６に対応する箇所、すなわち、中継搬送ケース３７の重複領域４３の下側部分４３ａの最下端位置よりも低い位置から搬送始端位置が設定されている。説明を加えると、中継搬送ケース３７の縦送り用覆い部３７Ｂが、重複領域４３の下側部分４３ａにおける傾斜面の下端部よりも下方に延びており、中継搬送ケース３７の縦送り用覆い部３７Ｂの下端部の近傍から縦搬送スクリュー３２が搬送作用するように構成されている。
【００４２】
〔別実施形態〕
（１）上記実施形態では、横搬送周壁部２９のうち連結部３６に対応する箇所における下側部分４３ａが、横搬送部２６側が高い位置であり且つ縦搬送部２７側が低い位置になるように傾斜状に設けられる構成としたが、この構成に代えて、横搬送周壁部２９が周方向に沿って全域にわたり円弧状に形成されるものでもよい。
【００４３】
（２）上記実施形態では、中継搬送ケース３７における横送り用覆い部３７Ａのうち重複領域４３の下側部分４３ａが、一番回収部２６側が高い位置であり且つ縦搬送スクリュー３２側が低い位置になるように傾斜状に設けられる構成としたが、この構成に代えて、重複領域４３を除く上手側領域４４についても、重複領域４３と同様に、その下側部分が、一番回収部２６側が高い位置であり且つ縦搬送スクリュー３２側が低い位置になるように傾斜状に設けられる構成としてもよい。すなわち、横送り用覆い部３７Ａは搬送方向の全領域にわたって下側部分が、一番回収部２６側が高い位置であり且つ穀粒揚送装置２７側が低い位置になるように傾斜状に設けられる構成としてもよい。
【００４４】
（３）上記実施形態では、一番回収スクリュー２８が、連結部３６において、穀粒を横搬送周壁部２９の傾斜状の周面に沿わせて送り出す方向に回転駆動される構成としたが、回転方向はこれに限らず、いずれの方向に回転させてもよい。
【００４５】
（４）上記実施形態では、穀粒揚送装置２７が、横搬送周壁部２９のうち連結部３６に対応する箇所の最下端位置よりも低い位置に搬送始端位置が設定される構成としたが、これに限らず、最下端位置と同じ位置に搬送始端位置を設定してもよく、最下端位置よりも高い位置に搬送始端位置を設定してもよい。
【００４６】
（５）上記実施形態では、穀粒搬送装置として、脱穀処理された穀粒を穀粒タンク５に搬送するための一番回収部と揚穀装置とを備えるものを示したが、この構成に代えて、穀粒排出装置７における底スクリュー１５と縦スクリューコンベア１６との連結部等に適用してもよく対象は限定されない。
【産業上の利用可能性】
【００４７】
本発明は、普通型コンバインや自脱型コンバイン等、種々の形式のコンバインに適用できる。
【符号の説明】
【００４８】
４        脱穀部
６        穀粒搬送装置
２６      横搬送部
２７      縦搬送部
２８      横搬送スクリュー
２９      横搬送周壁部
３２      縦搬送スクリュー
３３      縦搬送周壁部
３６      連結部
４３ａ    下側部分
【図１】
2020080777.tif 000003
【図２】
2020080777.tif 000004
【図３】
2020080777.tif 000005
【図４】
2020080777.tif 000006
【図５】
2020080777.tif 000007
【図６】
2020080777.tif 000008